(57)【要約】【課題】  天井埋込型空気調和装置において、化粧パネルが空気調和装置本体に装着された状態であっても、高さ位置の調節を可能にする。【解決手段】  空気調和装置１は、天井裏空間Ｓに配置される空気調和装置本体２と、天井裏空間Ｓにおいて吊り下げられた吊りボルト１１に装着される装着補助具としての吊り金具８の第１突出部８２と、空気調和装置本体２と第１突出部８２との相対高さを調節する調節用ボルト９１を有する高さ調節機構９と、空気調和装置本体２の下面に装着される化粧パネル４とを備えている。化粧パネル４には、調節用ボルト１１を回すための工具を下方から挿入することが可能な挿入用孔４７が形成されている。【選択図】      図４
2006284153.tif 000002
【特許請求の範囲】
【請求項１】
天井裏空間に配置される空気調和装置本体（２）と、
前記天井裏空間において吊り下げられた吊りボルトに装着される装着補助具（８２）と、
前記空気調和装置本体と前記装着補助具との相対高さを調節する調節用ボルト（９１）を有する高さ調節機構（９）と、
前記空気調和装置本体の下面に装着される化粧パネル（４、１０４）とを備え、
前記化粧パネルには、前記調節用ボルトを回すための工具を下方から挿入することが可能な挿入用孔（４７）が形成されている、
天井埋込型空気調和装置（１、１０１）。
【請求項２】
前記挿入用孔（４７）の開口面積は、３０００ｍｍ2以下である、請求項１に記載の天井埋込型空気調和装置（１、１０１）。
【請求項３】
前記化粧パネル（４）は、室内から空気を前記空気調和装置本体（２）内に吸入するための吸入口（４２）を有しており、
前記吸入口には、吸入グリル（４４）が着脱可能に装着されており、
前記挿入用孔（４７）は、前記吸入グリルが装着されることにより、前記化粧パネルの下方から見えなくなる、
請求項１又は２に記載の天井埋込型空気調和装置（１）。
【請求項４】
前記化粧パネル（１０４）は、前記空気調和装置本体（２）内から室内に空気を吹き出すための複数の吹出口（４３ａ〜４３ｄ）を有しており、
前記吹出口同士を結ぶ位置には、前記吹出口同士が連続しているように見せるための装飾板（１４８）が着脱可能に装着されており、
前記挿入用孔（４７）は、前記装飾板が装着されることにより、前記化粧パネルの下方から見えなくなる、
請求項１又は２に記載の天井埋込型空気調和装置（１０１）。
【請求項５】
前記装着補助具（８２）は、前記空気調和装置本体（２）の側面に対して上下方向にスライド可能な状態で、前記空気調和装置本体に装着されている、請求項１〜４のいずれかに記載の天井埋込型空気調和装置（１、１０１）。
【発明の詳細な説明】
【技術分野】
【０００１】
本発明は、天井埋込型空気調和装置、特に、天井埋込型空気調和装置の取り付け構造に関する。
【背景技術】
【０００２】
従来より、天井埋込型空気調和装置として、天井裏空間に配置され吊り下げ支持される空気調和装置本体と、空気調和装置本体の下面に装着される化粧パネルとから構成されているものがある。このような天井埋込型空気調和装置では、この空気調和装置本体の側面に吊り金具が固定されており、この吊り金具が天井裏空間において吊り下げられた吊りボルトに螺合するナットによって固定され、このナットの高さ位置を調節することにより空気調和装置本体を所定の高さ位置を調節するようになっている。
【０００３】
しかし、このような天井埋込型空気調和装置の構成では、空気調和装置本体を吊り下げるため、また、所定の高さ位置を調節するために、天井の開口と空気調和装置本体との隙間から吊り金具、吊りボルト及びナットにアクセスしなければならず、作業性が悪いという問題があった。
これに対して、吊りボルトに装着される吊り金具と、空気調和装置本体と吊り金具との相対高さを調節するための調節用ボルトとを設けることで、調節用ボルトを空気調和装置本体の下方から回すことによって、空気調和装置本体の高さ位置を調節できるようにした構成が開示されている（特許文献１参照）。
【特許文献１】特開平７−１９５９２号公報
【発明の開示】
【発明が解決しようとする課題】
【０００４】
上記の特許文献１に開示された天井埋込型空気調和装置では、天井の開口と空気調和装置本体との隙間から吊り金具、吊りボルト及びナットにアクセスする必要はなくなるため、空気調和装置本体を吊りボルトに吊り下げる作業に関する作業性を向上させることはできるが、化粧パネルが空気調和装置本体に装着された状態において調節用ボルトを回すことができないため、空気調和装置本体を所定の高さ位置に調節する作業についての作業性を向上させることはできない。
【０００５】
本発明の課題は、天井埋込型空気調和装置において、化粧パネルが空気調和装置本体に装着された状態であっても、高さ位置の調節を可能にすることにある。
【課題を解決するための手段】
【０００６】
第１の発明にかかる天井埋込型空気調和装置は、天井裏空間に配置される空気調和装置本体と、天井裏空間において吊り下げられた吊りボルトに装着される装着補助具と、空気調和装置本体と装着補助具との相対高さを調節する調節用ボルトを有する高さ調節機構と、空気調和装置本体の下面に装着される化粧パネルとを備えている。化粧パネルには、調節用ボルトを回すための工具を下方から挿入することが可能な挿入用孔が形成されている。
【０００７】
この天井埋込型空気調和装置では、高さ調節機構を構成する調節用ボルトを回すことにより空気調和装置本体と装着補助具との相対高さを調節して、空気調和装置本体の高さ位置を調節することができる。しかも、化粧パネルには、調節用ボルトを回すための工具を挿入するための挿入用孔が形成されており、化粧パネルが空気調和装置本体の下面に装着された状態においても調節用ボルトを回すことができるようになっているため、化粧パネルが空気調和装置本体に装着された状態であっても、空気調和装置本体の高さ位置の調節が可能である。
【０００８】
第２の発明にかかる天井埋込型空気調和装置では、第１の発明にかかる天井埋込型空気調和装置において、挿入用孔の開口面積が、３０００ｍｍ2以下である。
この天井埋込型空気調和装置では、挿入用孔の開口面積が３０００ｍｍ2以下であるため、挿入用孔の形成により化粧パネルの強度を過度に低下させてしまうことがない。
第３の発明にかかる天井埋込型空気調和装置では、第１又は第２の発明にかかる天井埋込型空気調和装置において、化粧パネルは、室内から空気を空気調和装置本体内に吸入するための吸入口を有している。吸入口には、吸入グリルが着脱可能に装着されている。挿入用孔は、吸入グリルが装着されることにより、化粧パネルの下方から見えなくなる。
【０００９】
この天井埋込型空気調和装置では、吸入グリルを化粧パネルから取り外すことによって挿入用孔が見えるようになっており、調節用ボルトを回すための工具を下方から挿入することができるため、挿入用孔を覆うための別部材が不要となり、化粧パネルを構成する部品点数の増加を抑えることができる。
第４の発明にかかる天井埋込型空気調和装置では、第１又は第２の発明にかかる天井埋込型空気調和装置において、化粧パネルは、空気調和装置本体内から室内に空気を吹き出すための複数の吹出口を有している。吹出口同士を結ぶ位置には、吹出口同士が連続しているように見せるための装飾板が着脱可能に装着されている。挿入用孔は、装飾板が装着されることにより、化粧パネルの下方から見えなくなる。
【００１０】
この天井埋込型空気調和装置では、装飾板を化粧パネルから取り外すことによって挿入用孔が見えるようになっており、調節用ボルトを回すための工具を下方から挿入することができるため、挿入用孔を覆うための別部材が不要となり、化粧パネルを構成する部品点数の増加を抑えることができる。
第５の発明にかかる天井埋込型空気調和装置では、第１〜第４の発明のいずれかにかかる天井埋込型空気調和装置において、装着補助具が、空気調和装置本体の側面に対して上下方向にスライド可能な状態で、空気調和装置本体に装着されている。
【００１１】
この天井埋込型空気調和装置では、装着補助具が空気調和装置本体の側面に対して上下方向にスライド可能な状態で、空気調和装置本体に装着されているため、高さ調節機構をコンパクトに構成にすることができる。
【発明の効果】
【００１２】
以上の説明に述べたように、本発明によれば、以下の効果が得られる。
第１の発明では、化粧パネルが空気調和装置本体に装着された状態であっても、空気調和装置本体の高さ位置の調節が可能である。
第２の発明では、挿入用孔の形成により化粧パネルの強度を過度に低下させてしまうことがない。
【００１３】
第３の発明では、挿入用孔を覆うための別部材が不要となり、化粧パネルを構成する部品点数の増加を抑えることができる。
第４の発明では、挿入用孔を覆うための別部材が不要となり、化粧パネルを構成する部品点数の増加を抑えることができる。
第５の発明では、高さ調節機構をコンパクトに構成にすることができる。
【発明を実施するための最良の形態】
【００１４】
以下、本発明にかかる天井埋込型空気調和装置の実施形態について、図面に基づいて説明する。
（１）空気調和装置の基本構成
図１に本発明の一実施形態にかかる空気調和装置１の外観斜視図（天井は省略）を示す。空気調和装置１は、天井埋込型の空気調和装置であり、主として、ケーシング３とケーシング３内に収納される各種構成機器とからなる空気調和装置本体２と、空気調和装置本体２の下面に装着される化粧パネル４とを備えている。空気調和装置本体２は、図２に示されるように、空調室の天井Ｕに形成された開口Ｈに挿入されて、天井裏空間Ｓに配置されている。そして、化粧パネル４は、開口Ｈを下方から覆うように配置されている。ここで、図２は、空気調和装置１の概略側面断面図であって、図３のＡ−Ｏ−Ａ断面図である。
【００１５】
＜ケーシング＞
ケーシング３は、図２及び図３に示されるように、その平面視において、長辺と短辺とが交互に形成された略８角形状の下面が開口した箱状体であり、長辺と短辺とが交互に連続して形成された略８角形状の天板３１と、天板３１の周縁部から下方に延びる側板３２とを有している。ここで、図３は、空気調和装置１の概略平面断面図であって、図２のＢ−Ｂ断面図である。
【００１６】
側板３２は、天板３１の長辺に対応する側板３２ａ、３２ｂ、３２ｃ、３２ｄと、天板３１の短辺に対応する側板３２ｅ、３２ｆ、３２ｇ、３２ｈとから構成されている。ここで、例えば、側板３２ｄと側板３２ａとは、側板３２ｅを挟んで互いが略直交するように配置されている。他の側板３２ａ、３２ｂ間、側板３２ｂ、３２ｃ間、及び、側板３２ｃ、３２ｄ間についても、側板３２ｄ、３２ａ間と同様に、それぞれ、側板３２ｆ、側板３２ｇ、及び、側板３２ｈを挟んで互いが略直交するように配置されている。尚、側板３２ｈは、熱交換器６（後述）と室外ユニット（図示せず）との間で冷媒をやりとりするための冷媒配管が貫通する部分を構成しており、他の側板３２ｅ、３２ｆ、３２ｇとは異なる形状となっている。また、各側板３２ｅ、３２ｆ、３２ｇ、３２ｈには、空気調和装置本体２を天井裏空間Ｓから吊り下げられた吊りボルト１１に装着する装着補助具としての第１突出部８２を有する吊り金具８（後述）、及び、空気調和装置本体２と吊り金具８の第１突出部８２との相対高さを調節する調節用ボルト９１（後述）を有する高さ調節機構９（後述）が設けられている。そして、ケーシング３は、平面視において、吊り金具８を含めた形状が略４角形になるように、天板３１の長辺及び短辺の長さが設定されている。
【００１７】
＜ケーシング内に収納される各種構成機器＞
ケーシング３の内部には、主に、空調室内の空気を化粧パネル４の吸入口４２（後述）を通じてケーシング３内に吸入して外周方向に吹き出す送風機５と、送風機５の外周を囲むように配置された熱交換器６とが配置されている。
送風機５は、本実施形態において、ターボファンであり、ケーシング３の天板３１の中央内面に設けられたファンモータ５１と、ファンモータ５１に連結されて回転駆動される羽根車５２とを有している。羽根車５２は、ファンモータ５１に連結される円板状のエンドプレート５３と、エンドプレート５３の下面の外周部に設けられた複数のブレード５４と、ブレード５４の下側に設けられた中央に開口を有する円板状のエンドリング５５とを有している。送風機５は、ブレード５４の回転によって、エンドリング５５の開口を通じて羽根車５２の内部に空気を吸入し、羽根車５２内に吸入された空気を羽根車５２の外周側に吹き出すことができる。
【００１８】
熱交換器６は、本実施形態において、送風機５の外周を囲むように曲げられて形成されたクロスフィンチューブ型の熱交換器パネルであり、屋外等に設置された室外ユニット（図示せず）に冷媒配管を介して接続されている。熱交換器６は、本実施形態において、冷房運転時には内部を流れる冷媒の蒸発器として、暖房運転時には内部を流れる冷媒の凝縮器として機能できるようになっている。これにより、熱交換器６は、送風機５によって吸入口４２（後述）を通じてケーシング３内に吸入された空気と熱交換を行って、冷房運転時には空気を冷却し、暖房運転時には空気を加熱することができる。
【００１９】
熱交換器６の下側には、熱交換器６において空気中の水分が凝縮されて生じるドレン水を受けるためのドレンパン７が配置されている。ドレンパン７は、ケーシング３の下部に装着されている。ドレンパン７は、熱交換器６の下側に形成されドレン水を受けるドレン水受け溝７１と、送風機５のエンドリング５５の開口に対応するように形成された吸入孔７２と、ケーシング３の各側板３２ａ、３２ｂ、３２ｃ、３２ｄの内面に沿って形成された細長く延びる略長方形状の開口からなる吹出孔７３ａ、７３ｂ、７３ｃ、７３ｄとを有している。
【００２０】
また、ドレンパン７の吸入孔７２には、化粧パネル４の吸入口４２（後述）から吸入される空気を送風機５の羽根車５２へ案内するためのベルマウス７４が配置されている。
＜化粧パネル＞
化粧パネル４は、平面視が略４角形状の板状体であり、主として、パネル本体４１から構成されている。パネル本体４１は、ドレンパン７の下面との間にシート状の断熱材７５を挟んだ状態でドレンパン７及びケーシング３に固定されている。本実施形態において、パネル本体４１は、パネル装着用ボルト４６によってドレンパン７に固定されている。
【００２１】
パネル本体４１は、主として、その略中央に空調室内の空気を吸入する吸入口４２と、吸入口４２を囲むように各辺に対応して形成された吹出口４３ａ、４３ｂ、４３ｃ、４３ｄとを有している。吸入口４２は、本実施形態において、略正方形状の開口である。各吹出口４３ａ、４３ｂ、４３ｃ、４３ｄは、パネル本体４１の各辺に沿って細長く延びる略長方形状の開口である。ここで、吸入口４２は、ドレンパン７に形成された吸入孔７２と連通している。また、吹出口４３ａ、４３ｂ、４３ｃ、４３ｄは、ドレンパン７に形成された吹出孔７３ａ、７３ｂ、７３ｃ、７３ｄとそれぞれ連通している。また、パネル本体４１は、本実施形態において、吸入口４２の外側でかつ吹出口４３ａ、４３ｂ、４３ｃ、４３ｄの内側の位置に下方に向かって延びる略４角形状の筒状部４１ａと、筒状部４１ａの下端から上方かつ外側に向かって傾斜する周縁部４１ｂとを有している。
【００２２】
また、吸入口４２には、吸入口４２から吸入される空気中に含まれる塵埃等を捕捉するためのフィルタ４２ａが、筒状部４１ａの内側に吸入口４２を覆うように配置されて固定されている。また、パネル本体４１には、フィルタ４２ａの下側において筒状部４１ａの内周縁に嵌め込まれるように、吸入グリル４４が装着されている。
また、吹出口４３ａ、４３ｂ、４３ｃ、４３ｄには、長手方向の軸周りに揺動可能な水平フラップ４５ａ、４５ｂ、４５ｃ、４５ｄがそれぞれ設けられている。水平フラップ４５ａ、４５ｂ、４５ｃ、４５ｄは、それぞれが対応する吹出口４３ａ、４３ｂ、４３ｃ、４３ｄの長手方向に細長く延びる略長方形状の羽根部材であり、吹出口４３ａ、４３ｂ、４３ｃ、４３ｄから空調室内に吹き出される空気の風向を可変することができるようになっている。
【００２３】
（２）空気調和装置の吊り下げ構造及びその近傍の構成
次に、空気調和装置１の吊り下げ構造及びその近傍の構成について、図２〜７を用いて説明する。空気調和装置１の吊り下げ構造は、主として、吊り金具８（具体的には、第１突出部８２）と、吊り金具８の本体部８１及び第２突出部８３を含む高さ調節機構９とから構成されている。ここで、図４は、図２の拡大図であって、吊り金具８、高さ調節機構９及びその近傍を示す図である。図５は、吊り金具８及び高さ調節機構９の斜視図である。図６は、空気調和装置１の下面の拡大図であって、化粧パネル４の角部近傍を示す図である。図７は、空気調和装置１の下面の拡大図であって、吸入グリル４４が装着されていない状態の化粧パネル４の角部近傍を示す図である。尚、本実施形態において、吊り金具８及び高さ調節機構９は、各側板３２ｅ、３２ｆ、３２ｇ、３２ｈに対応して設けられており、合計４つ存在するが、これらの構成は、その近傍の構成も含めて同様であるため、ここでは、側板３２ｅに対応して設けられた、すなわち、化粧パネル４の４つの角部のうち吹出口４３ａと吹出口４３ｄとの間の角部に対応して設けられた吊り金具８、高さ調節機構９及びその近傍の構成について説明する。
【００２４】
＜吊り金具＞
吊り金具８は、本実施形態において、略Ｃ字形状の部材であり、側板３２ｅの外面に沿うように配置される板状の本体部８１と、本体部８１の上端部から水平方向外側に向かって突出する吊りボルト装着部として第１突出部８２と、本体部８１の下端部から水平方向外側に向かって突出する第２突出部８３とを有している。
【００２５】
本体部８１は、その上下２点の位置において、吊り金具固定ボルト８４によって側板３２ｅに固定されている。ここで、本体部８１には、吊り金具固定ボルト８４が貫通するスライド用長孔８１ａが形成されている。スライド用長孔８１ａは、上下方向に細長い形状を有する長孔になっている。そして、吊り金具固定ボルト８４は、スライド用長孔８１ａによって本体部８１が側板３２ｅに対して上下方向に移動できる程度に、本体部８１と側板３２ｅとを締結している。これにより、吊り金具８は、吊り金具固定ボルト８４及びスライド用長孔８１ａからなる吊り金具スライド機構８５によって、側板３２ｅ（すなわち、空気調和装置本体２）に対して、スライド用長孔８１ａの長手方向幅に応じた範囲で上下方向に移動可能な状態で、側板３２ｅに装着されている。
【００２６】
第１突出部８２は、吊り金具８を含めたケーシング３の形状が略４角形になるように水平方向外側に突出した板状の部分であり、その中央に形成された吊りボルト１１が挿通される吊りボルト用長孔８２ａと、その縁部から吊りボルト１１を吊りボルト用長孔８２ａ内に案内できるように切り欠かれた切り欠き部８２ｂとを有している。吊りボルト用長孔８２ａは、第１突出部８２の突出方向に直交する方向に細長い形状の長孔である。また、切り欠き部８２ｂは、第１突出部８２の突出方向外側の縁部から内側に向かって切り欠かれている。そして、吊りボルト１１は、吊りボルト用長孔８２ａに挿通される部分の上側に吊りボルト用ナット８６ａが螺合され、かつ、吊りボルト用ナット８６ａの下側にワッシャ８７ａに挿通した状態で、切り欠き部８２ｂを通じて吊りボルト用長孔８２ａに挿通されている。この吊りボルト用長孔８２ａに挿通された状態の吊りボルト１１には、吊りボルト用長孔８２ａの下側からワッシャ８７ｂが挿通され、さらに、吊りボルト用ナット８６ｂが螺合されている。これにより、第１突出部８２（すなわち、空気調和装置本体２）は、吊りボルト用ナット８６ａ及び吊りボルト用ナット８６ｂによって、吊りボルト１１に装着されている。
【００２７】
第２突出部８３は、吊り金具８を含めたケーシング３の形状が略４角形になるように水平方向外側に突出した板状の部分であり、その中央に形成された第１調節用ボルト用孔８３ａを有している。第２突出部８３の上面には、調節用ボルト用孔８３ａに対応するように調節用ボルト用ナット８８が溶接等により固定されている。
＜高さ調節機構＞
高さ調節機構９は、主として、側板３２ｅ（すなわち、空気調和装置本体２）と吊り金具８（より具体的には、第１突出部８２）との相対高さを調節する調節用ボルト９１を有している。調節用ボルト９１は、調節用ボルト９１は、本実施形態において、六角ボルトであり、側板３２ｅの下端部に設けられたフランジ部９２を下側から貫通するように配置されている。
【００２８】
フランジ部９２は、側板３２ｅの下端部から水平方向外側に向かって突出する板状の部分であり、吊り金具８（具体的には、第１突出部８２及び第２突出部８３）と同様、ケーシング３の形状が略４角形になるように突出している。フランジ部９２は、その中央に形成された調節用ボルト用孔９２ａを有している。調節用ボルト用孔９２ａは、第２突出部８３の調節用ボルト用孔８３ａの真下に形成されている。このフランジ部９２の上面には、調節用ボルト用孔９２ａに対応するように、調節用ボルト用孔９２ａの径よりも大きな調節用ボルト用ナット９３が配置されている。そして、調節用ボルト９１は、フランジ部９２の調節用ボルト用孔９２ａを下側から挿通して、調節用ボルト用ナット９３に螺合している。調節用ボルト用ナット９３は、調節用ボルト９１の頭部９１ａとの上下方向間にフランジ部９２を挟んだ状態で、調節用ボルト９１に溶接等により固定されている。さらに、調節用ボルト９１は、第２突出部８３の調節用ボルト用孔８３ａを挿通して、調節用ボルト用ナット８８に螺合している。これにより、調節用ボルト９１を回すと、フランジ部９２と第２突出部８３との上下間の距離が変化しようとする。ここで、第２突出部８２（すなわち、吊り金具８）は、吊り金具固定ボルト８４及びスライド用長孔８１ａからなる吊り金具スライド機構８５によって、側板３２ｅ（すなわち、空気調和装置本体２）に対して、上下方向に移動可能な状態で装着されているため、結果的に、調節用ボルト９１によって、側板３２ｅ（すなわち、空気調和装置本体２）と吊り金具８（より具体的には、第１突出部８２）との相対高さを調節することができる。
【００２９】
このように、高さ調節機構９は、空気調和装置本体２に設けられたフランジ部９２と、吊り金具８の第２突出部８３及び第２突出部８３に固定された調節用ボルト用ナット８８と、調節用ボルト用ナット８８に螺合しており空気調和装置本体２と吊り金具８の第１突出部８２との相対高さを調節する調節用ボルト９１及び調節用ボルト９１に固定された調節用ボルト用ナット９３と、吊り金具８の第１突出部８２を空気調和装置本体２に対して上下方向に移動可能な状態で装着する吊り金具スライド機構８５とを有しており、これにより、空気調和装置本体２と吊り金具８の第１突出部８２との相対高さを調節することができるようになっている。
【００３０】
次に、調節用ボルト９１の頭部９１ａを回す作業を行うための構成について説明する。調節用ボルト９１の頭部９１ａを回すには、調節用ボルト９１の頭部９１ａを回すための工具（例えば、調節用ボルト９１が六角ボルトである場合には、その頭部９１ａのサイズに合うソケットレンチ等）を空気調和装置本体２の下方からアクセスできるようにしなければならない。
【００３１】
そこで、本実施形態では、化粧パネル４のパネル本体４１の調節用ボルト９１の頭部９１ａに対応する位置には、調節用ボルト９１を回すための工具を下方から挿入することが可能な挿入用孔４７が形成されている。本実施形態において、挿入用孔４７は、円形である。また、本実施形態のように、パネル本体４１とドレンパン７の下面との間にシート状の断熱材７５を挟んでいる場合には、断熱材７５にも挿入用孔４７に対応する孔７５ａが設けられることになる。
【００３２】
ここで、挿入用孔４７の開口面積は、調節用ボルト９１を回すための工具を下方から挿入することができればよいため、３０００ｍｍ2以下の比較的小さなサイズに抑えるようにしている。これにより、挿入用孔４７の形成によって化粧パネル４の強度を過度に低下しないようになっている。
また、挿入用孔４７は、パネル本体４１に吸入グリル４４が装着された状態では化粧パネル４の下方から見えないが、パネル本体４１から吸入グリル４４が取り外された状態では化粧パネル４の下方から見えるように配置されている。具体的には、化粧パネル４の平面視において、吸入グリル４４の角部が側板３２ｅの外側の領域まで張り出しており、この張り出し部分に対応する位置（すなわち、筒状部４１ａの角部の内側の位置）に設けられることによって、挿入用孔４７がパネル本体４１から吸入グリル４４が取り外された状態において、化粧パネル４の下方から見えるようになっている。
【００３３】
（３）空気調和装置の据え付け作業
次に、空気調和装置１の据え付け作業について、図２及び図４〜８を用いて説明する。ここで、図８は、空気調和装置本体２の高さ位置の調節作業を説明する図であって、図４に相当する図である。空気調和装置１の据え付け作業は、主として、空気調和装置本体２の吊り下げ作業と、化粧パネル４（具体的には、パネル本体４１）の装着作業と、空気調和装置本体２の高さ位置の調節作業と、吸入グリル４４の装着作業とを有している。尚、この据え付け作業の説明においては、各側板３２ｅ、３２ｆ、３２ｇ、３２ｈに対応して設けられた吊り金具８及び高さ調節機構９の代表として、側板３２ｅに対応して設けられた、すなわち、化粧パネル４の４つの角部のうち吹出口４３ａと吹出口４３ｄとの間の角部に対応して設けられた吊り金具８及び高さ調節機構９を例示する。
【００３４】
＜空気調和装置本体の吊り下げ作業＞
空気調和装置本体２の吊り下げ作業を行う前において、ケーシング３の側板３２ｅ〜３２ｈに設けられた吊り金具８及び高さ調節機構９は、以下のような状態になっている。まず、吊り金具８の第１突出部８２は、吊り金具スライド機構８５によって各側板３２ｅ〜３２ｈに対して上下方向にスライド可能な状態で空気調和装置本体２に装着されている。そして、調節用ボルト９１は、吊り金具８の第２突出部８３とケーシング３に設けられたフランジ部９２との上下方向間に間隔が空いた状態で、かつ、調節用ボルト用ナット９３によって下方に抜け止めされた状態で、調節用ボルト用ナット８８に下方から螺合している。
【００３５】
このような状態において、まず、空気調和装置本体２の吊り下げ作業では、天井裏空間Ｓにおいて吊り下げられた吊りボルト１１を、吊りボルト用ナット８６ａを螺合させ、かつ、ワッシャ８７ａを挿通させた状態で、切り欠き部８２ｂを通じて吊り金具８の第１突出部８２の吊りボルト用長孔８２ａに挿通し、吊りボルト１１を吊りボルト用長孔８２ａに挿通した状態で、吊りボルト用長孔８２ａの下側からワッシャ８７ｂを挿通させ、かつ、吊りボルト用ナット８７ａを螺合させる。これにより、吊り金具８の第１突出部８２が吊りボルト１１に装着されることになる。この作業を各側板３２ｅ〜３２ｈにおいて行うことによって、空気調和装置本体２が吊りボルト１１に吊り下げ支持されることになる。
【００３６】
尚、この空気調和装置本体２の吊り下げ作業を行った状態では、空気調和装置本体２の吊り下げ高さ位置は、最適な高さ位置には設定されていない（図８参照）。
＜化粧パネルの装着作業＞
次に、化粧パネル４を空気調和装置本体２の下面に装着する。具体的には、吸入グリル４４が取り外された状態の化粧パネル４（すなわち、パネル本体４１）を、ドレンパン７の下面との間に断熱材７５を挟んだ状態で、パネル装着用ボルト４６によって、空気調和装置本体２の下面に装着する。これにより、パネル本体４１の挿入用孔４７から高さ調節機構９の調節用ボルト９１の頭部９１ａが見えるように配置されることになる（図７参照）。
【００３７】
＜空気調和装置本体の高さ位置の調節作業＞
次に、調節用ボルト９１の頭部９１ａのサイズに合うソケットレンチ等の工具Ｗを挿入用孔４７から挿入し、調節用ボルト９１を回す。例えば、図８に示されるように、空気調和装置本体２が最適な高さ位置よりも少し下側の高さ位置に設定されている場合には、化粧パネル４の上面（本実施形態では、パネル本体４１の周縁部４１ｂの上端部）が天井面Ｕとの間に隙間が生じているため、調節用ボルト９１をフランジ部９２と第２突出部８２との上下間の距離が小さくなるように回す。すると、吊り金具スライド機構８５によって、フランジ部９２が設けられた側板３２ｅ（すなわち、空気調和装置本体２及びパネル本体４１）が、吊り金具８（具体的には、本体部８１）に対して上方に移動することになる（図８の矢印Ｆ参照）。これにより、化粧パネル４の上面と天井面Ｕとの間の隙間が小さくなる。そして、この作業を各側板３２ｅ〜３２ｈにおいて行うことによって、空気調和装置本体２の吊り下げ高さ位置が、最適な高さ位置に設定されることになる。
【００３８】
＜吸入グリルの装着作業＞
最後に、吸入グリル４４をパネル本体４１に装着する。具体的には、吸入グリル４４をパネル本体４１の筒状部４１ａの内周縁に嵌め込むように装着する。これにより、調節用ボルト９１の頭部９１ａ及び挿入用孔４７が化粧パネル４の下方から見えなくなる（図４及び図６参照）。
【００３９】
（４）空気調和装置の特徴
本実施形態の空気調和装置１には、以下のような特徴がある。
（Ａ）
本実施形態の空気調和装置１では、高さ調節機構９を構成する調節用ボルト９１を回すことにより空気調和装置本体２と装着補助具としての吊り金具８の第１突出部８２との相対高さを調節して、空気調和装置本体２の高さ位置を調節することができる。しかも、化粧パネル４には、調節用ボルト９１を回すための工具を挿入するための挿入用孔４７が形成されており、化粧パネル４が空気調和装置本体２の下面に装着された状態においても調節用ボルト９１を回すことができるようになっているため、化粧パネル４が空気調和装置本体２に装着された状態であっても、空気調和装置本体２の高さ位置の調節が可能である。
【００４０】
（Ｂ）
また、空気調和装置１では、吊り金具スライド機構８５によって、装着補助具としての吊り金具８の第１突出部８２が空気調和装置本体２の側面３２ｅ〜３２ｈに対して上下方向にスライド可能な状態で、空気調和装置本体２に装着されているため、高さ調節機構９をコンパクトに構成にすることができる。
【００４１】
（Ｃ）
調節用ボルト９１を回すための工具を挿入するための挿入用孔４７は、作業者の手や腕を挿入できる程大きな開口面積を必要とせず、工具を挿入するのに十分な開口面積である３０００ｍｍ2もあればよいことになる。このため、挿入用孔４７の形成により化粧パネル４の強度を過度に低下させてしまうことがない。
【００４２】
（Ｄ）
また、挿入用孔４７は、吸入グリル４４を化粧パネル４から取り外すことによって挿入用孔４７が見えるようになっており、調節用ボルト９１を回すための工具を下方から挿入することができるため、挿入用孔４７を覆うための別部材が不要となり、化粧パネル４を構成する部品点数の増加を抑えることができる。
【００４３】
（５）変形例
上述の空気調和装置１では、吸入グリル４４を化粧パネル４（具体的には、パネル本体４１）から取り外すことによって挿入用孔４７が見えるようになっていたが、図９及び図１０に示されるように、化粧パネル４に形成された吹出口４３ａ〜４３ｄ同士を結ぶ位置に各吹出口同士（図９では、吹出口４３ａと吹出口４３ｄとを結ぶ位置）が連続しているように見せるための装飾板１４８が着脱可能に装着されている場合には、挿入用孔４７を装飾板１４８が装着される位置の真上に配置してもよい。ここで、図９は、変形例にかかる空気調和装置１０１であって、図４に相当する図である。図１０は、変形例にかかる空気調和装置１０１であって、図６に相当する図である。以下、本変形例の空気調和装置１０１について説明する。尚、本変形例の空気調和装置１０１は、化粧パネル１０４の構造を除いては、上述の空気調和装置１と同じ構造であるため、以下では、化粧パネル１０４の構造のみについて説明する。尚、以下では、吹出口４３ａと吹出口４３ｄとを結ぶ位置に設けられた装飾板１４８についてのみ説明を行うが、他の吹出口同士を結ぶ位置（吹出口４３ａ、４３ｂ間、吹出口４３ｂ、４３ｃ間、吹出口４３ｃ、４３ｄ間）についても、装飾板１４８が設けられている。
【００４４】
化粧パネル１０４は、上述の化粧パネル４と同様、平面視が略４角形状の板状体であり、主として、パネル本体１４１から構成されている。そして、パネル本体１４１は、上述のパネル本体４１とは異なり、筒状部４１ａ及び周縁部４１ｂに加えて、その内周縁に吸入グリル４４が嵌め込まれる内側筒状部１４１ｃと、内側筒状部１４１ｃの外周縁と筒状部４１ａの内周縁との間に嵌め込まれる装飾板１４８とをさらに有している。
【００４５】
内側筒状部１４１ｃは、化粧パネル１０４の平面視において、挿入用孔４７よりも内側に配置されている。このため、本変形例において、吸入グリル４４をパネル本体１４１から取り外しても、挿入用孔４７が見える構造にはなっておらず、パネル装着用ボルト４６やフィルタ４２ａが見えるだけである。
装飾板１４８は、吹出口４３ａの長手方向端部と吹出口４３ｄの長手方向端部とを結ぶ円弧状の板状部材であり、吹出口４３ａと吹出口４３ｄとが連続しているように見せるようにするためにやや暗めの着色が施されている。装飾板１４８は、化粧パネル１０４の平面視において、挿入用孔４７の真下に配置されるように設けられている。このため、装飾板１４８をパネル本体１４１から取り外すことによって、化粧パネル４の下方から見えるようになっており、挿入用孔４７に調節用ボルト９１の頭部９１ａを回すための工具を挿入することができる。
【００４６】
このような空気調和装置１０１は、以下のような手順により据え付け作業を行うことができる。空気調和装置１０１の据え付け作業は、上述の空気調和装置１と同様、空気調和装置本体２の吊り下げ作業と、化粧パネル１０４（具体的には、パネル本体４１）の装着作業と、空気調和装置本体２の高さ位置の調節作業と、吸入グリル４４及び装飾板１４８の装着作業とを有している。尚、空気調和装置本体２の吊り下げ作業、及び、化粧パネル１０４（具体的には、パネル本体４１）の装着作業については、上述の空気調和装置１と同様であるため、説明を省略し、異なる作業のみを説明する。
【００４７】
空気調和装置本体の高さ位置の調節作業においては、まず、化粧パネル１０４の装飾板１４８を取り外して、挿入用孔４７が化粧パネル４の下方から見える状態にする。尚、この装飾板１４８の取り外し作業は、化粧パネル１０４の装着作業よりも前に行っていてもよい。また、本変形例では、吸入グリル４４の取り外しや装着によって挿入用孔４７が化粧パネル１０４の下方から見えたり見えなくなったりする位置関係にはないため、この段階で、後述の吸入グリル４４をパネル本体１４１に装着する作業を行ってもよい。
【００４８】
そして、装飾板１４８をパネル本体１４１から取り外した状態において、調節用ボルト９１の頭部９１ａのサイズに合うソケットレンチ等の工具Ｗを挿入用孔４７から挿入し、調節用ボルト９１を回して、上述の空気調和装置１と同様に、空気調和装置本体２の吊り下げ高さ位置を、最適な高さ位置に設定する。
そして、吸入グリル４４及び装飾板１４８の装着作業では、吸入グリル４４及び装飾板１４８をパネル本体４１に装着する。具体的には、吸入グリル４４をパネル本体４１の内側筒状部１４１ｃの内周縁に嵌め込むように装着する。また、装飾板１４８を内側筒状部１４１ｃの外周縁と筒状部４１ａの内周縁との間に嵌め込むように装着する。これにより、調節用ボルト９１の頭部９１ａ及び挿入用孔４７が化粧パネル４の下方から見えなくなる。
【００４９】
以上のように、本変形例の空気調和装置１０１では、上述の空気調和装置１と同様、化粧パネル１０４が空気調和装置本体２に装着された状態であっても空気調和装置本体２の高さ位置の調節が可能であり、また、吊り金具スライド機構８５によって、装着補助具としての吊り金具８の第１突出部８２が空気調和装置本体２の側面３２ｅ〜３２ｈに対して上下方向にスライド可能な状態で、空気調和装置本体２に装着されているため、高さ調節機構９をコンパクトに構成にすることができ、さらに、調節用ボルト９１を回すための工具を挿入するための挿入用孔４７の開口面積が３０００ｍｍ2以下であり、挿入用孔４７の形成により化粧パネル１０４の強度を過度に低下させてしまうことがない。
【００５０】
しかも、装飾板１４８を化粧パネル１０４から取り外すことによって挿入用孔４７が見えるようになっており、調節用ボルト９１を回すための工具を下方から挿入することができるため、挿入用孔４７を覆うための別部材が不要となり、化粧パネル１０４を構成する部品点数の増加を抑えることができる。
（６）他の実施形態
以上、本発明の実施形態について図面に基づいて説明したが、具体的な構成は、これらの実施形態に限られるものではなく、発明の要旨を逸脱しない範囲で変更可能である。
【００５１】
（Ａ）
上述の実施形態及び変形例では、吊り金具スライド機構８５が吊り金具固定ボルト８４及びスライド用長孔８１ａから構成されているが、これに限定されず、他の構成であってもよい。
（Ｂ）
上述の実施形態及び変形例では、第２突出部８３が調節用ボルト用孔８３ａを有し、かつ、その上面に調節用ボルト用ナット８８が固定されることより、調節用ボルト９１が螺合できるように構成されているが、これに限定されず、例えば、調節用ボルト用ナット８８が第２突出部８３の下面に固定されていてもよいし、また、調節用ボルト用孔８３ａ自体に雌ネジが形成されて調節用ボルト用ナット８８が省略されていてもよい。
【００５２】
（Ｃ）
上述の実施形態及び変形例では、調節用ボルト９１の下方への抜け止め部材として、調節用ボルト用ナット９３が、フランジ部９２の上面側に配置され、調節用ボルト９１に螺合した状態で調節用ボルト９１と一体回転するように固定された構成が採用されているが、これに限定されず、例えば、図１１に示されるように、調節用ボルト９１の外周にＥ型止め輪９４を嵌め込んだ構成を採用したり、図１２に示されるように、調節用ボルト９１のフランジ部９２の上面付近の部分をかしめることによって鍔部９５を形成した構成を採用してもよい。
【００５３】
（Ｄ）
調節用ボルト９１は、六角ボルト等を用いることが可能であるが、これに限定されない。
【産業上の利用可能性】
【００５４】
本発明を利用すれば、天井埋込型空気調和装置において、化粧パネルが空気調和装置本体に装着された状態であっても、高さ位置の調節ができるようになる。
【図面の簡単な説明】
【００５５】
【図１】本発明の一実施形態にかかる空気調和装置の外観斜視図である。
【図２】空気調和装置の概略側面断面図であって、図３のＡ−Ｏ−Ａ断面図である。
【図３】空気調和装置の概略平面断面図であって、図２のＢ−Ｂ断面図である。
【図４】図２の拡大図であって、吊り金具、高さ調節機構及びその近傍を示す図である。
【図５】吊り金具及び高さ調節機構の斜視図である。
【図６】空気調和装置の下面の拡大図であって、化粧パネルの角部近傍を示す図である。
【図７】空気調和装置の下面の拡大図であって、吸入グリルが装着されていない状態の化粧パネルの角部近傍を示す図である。
【図８】空気調和装置本体の高さ位置の調節作業を説明する図であって、図４に相当する図である。
【図９】変形例にかかる空気調和装置であって、図４に相当する図である。
【図１０】変形例にかかる空気調和装置であって、図６に相当する図である。
【図１１】他の実施形態にかかる空気調和装置であって、図５に相当する図である。
【図１２】他の実施形態にかかる空気調和装置であって、図５に相当する図である。
【符号の説明】
【００５６】
１、１０１  空気調和装置（天井埋込型空気調和装置）
２  空気調和装置本体
４、１０４  化粧パネル
９  高さ調節機構
４２  吸入口
４３ａ〜４３ｄ  吹出口
４４  吸入グリル
４７  挿入用孔
８２  第１突出部（装着補助具）
９１  調節用ボルト
１４８  装飾板
【図１】
2006284153.tif 000003
【図２】
2006284153.tif 000004
【図３】
2006284153.tif 000005
【図４】
2006284153.tif 000006
【図５】
2006284153.tif 000007
【図６】
2006284153.tif 000008
【図７】
2006284153.tif 000009
【図８】
2006284153.tif 000010
【図９】
2006284153.tif 000011
【図１０】
2006284153.tif 000012
【図１１】
2006284153.tif 000013
【図１２】
2006284153.tif 000014